(57)【特許請求の範囲】
【請求項１】
容器の口筒部に取着され、キャップ本体と上蓋からなるヒンジキャップにおいて、
キャップ本体は、注出筒と、注出筒の外周に連設される上壁と、上壁の外縁に垂設され内周に環状の係合突条が突設された係合筒と、係合筒外周に一定の間隔をおいて連設され、上端外周にヒンジを連設する外周筒とからなり、
係合筒の下端外周と外周筒の内周の間は、ヒンジの反対側の所定周範囲にわたって厚肉の連結片によって連結され、連結片によって連結された周範囲以外の周範囲では、間隔をおいて複数配設された破断可能な薄肉の弱化片によって連結されており、
外周筒は、その内周面における連結片および弱化片との連結部位より下方に延びるカバー筒部が形成されていることを特徴とするヒンジキャップ。
【請求項２】
係合筒の係合突条は、容器の口筒部の外周に縮径して形成された係合部に嵌入し、口筒部の係合突条に係合するようになっており、
カバー筒部は、打栓時に前記係合部より下方に延びるように形成されていることを特徴とする請求項１記載のヒンジキャップ。
【発明の詳細な説明】
【技術分野】
【０００１】
本発明は、ヒンジキャップ、とくに容器の口筒部から簡単に取り外して、分別廃棄可能としたヒンジキャップに関するものである。
【背景技術】
【０００２】
内容液を充填した容器の口筒部に打栓されるヒンジキャップにおいて、内容液の使用後に、上蓋を引張ることで、キャップを容器より簡単に取り外し、分別廃棄することができるものは、従来より知られている（例えば、特許文献１参照）。
【特許文献１】特開２００３−２４６３３８号公報
【発明の開示】
【発明が解決しようとする課題】
【０００３】
しかしながら、上記特許文献１記載の従来のヒンジキャップは、リング体（３）が外筒（５）の側周と同じ高さで配設されており、ネックリングが口筒部に設けられている容器の場合はいいが、ネックリングを形成しないガラス製の瓶などの容器の場合は、容器の肩部との間の口筒部の形状により美観を損なうという問題があった。
【０００４】
また、ネックリングを形成しない容器の場合、口筒部と外筒（５）との間から棒状物等を入れ外筒（５）を変形させ、キャップを取り外した後、容器内に異物を混入させるなどをし、再びキャップを被嵌するという故意による不正行為をしても、ヒンジキャップに痕跡が残らず、わからないという問題があった。
【０００５】
本発明は、上記問題を解決することを課題とし、内容液の使用後に、上蓋を引張ってキャップを容器より簡単に取り外し、分別廃棄することができるヒンジキャップにおいて、容器の形状によって美観を損なうことなく、また、不正行為を防止することのできるヒンジキャップを提供することを目的とする。
【課題を解決するための手段】
【０００６】
本発明は、上記の課題を解決するため、ヒンジキャップとして、容器の口筒部に取着され、キャップ本体と上蓋からなるヒンジキャップにおいて、キャップ本体は、注出筒と、注出筒の外周に連設される上壁と、上壁の外縁に垂設され内周に環状の係合突条が突設された係合筒と、係合筒外周に一定の間隔をおいて連設され、上端外周にヒンジを連設する外周筒とからなり、係合筒の下端外周と外周筒の内周の間は、ヒンジの反対側の所定周範囲にわたって厚肉の連結片によって連結され、連結片によって連結された周範囲以外の周範囲では、間隔をおいて複数配設された破断可能な薄肉の弱化片によって連結されており、外周筒は、その内周面における連結片および弱化片との連結部位より下方に延びるカバー筒部が形成されていることを特徴とする構成を採用する。
【０００７】
ヒンジキャップの実施形態として、係合筒の係合突条は、容器の口筒部の外周に縮径して形成された係合部に嵌入し、口筒部の係合突条に係合するようになっており、カバー筒部は、打栓時に前記係合部より下方に延びるように形成されていることを特徴とする構成を採用する。
【発明の効果】
【０００８】
上蓋を引張ることにより、キャップを容器より取り外し、分別廃棄することができるヒンジキャップにおいて、キャップ本体が、容器口筒部に係合する係合筒と、該係合筒に連設される外周筒とを具え、外周筒に、下端が係合筒の下端より下方に延びるカバー筒部が形成されているので、容器口筒部の美観を損なうことなく、また、係合筒との連設部を保護し、不正行為を防止することができる。
さらにまた、キャップの分別廃棄時に、カバー筒部下端が弱化片の接続点より下方にあるので、弱化片が切断しやすくなっている。
【発明を実施するための最良の形態】
【０００９】
次に、本発明のヒンジキャップについて、図面を参照して説明する。
図１において、Ａはガラス、またはＰＥＴやその他の合成樹脂などで形成された容器、Ｂは容器Ａに打栓されるキャップ本体、Ｃはキャップ本体ＢにヒンジＤを介して一体成形された上蓋である。
【００１０】
容器Ａの口筒部１の外周上部には、縮径された係合部２が形成されており、係合部２の上端には、拡径された係合突条３が設けられている。
【００１１】
キャップ本体Ｂは、注出筒５と、注出筒５内周に連設される隔壁６と、注出筒５の外周に連設されるリング状の上壁７と、上壁７の外縁に垂設される係合筒８と、係合筒８外周に一定の間隔をおいて連設され、上端外周にヒンジＤを連設する外周筒９とからなっている。
【００１２】
注出筒５の上壁７より下方の外周面５ａは、容器Ａの口筒部１内周に挿入されるように形成されている。
【００１３】
隔壁６には、注出口を開口する薄肉の弱化部１０によって区画される除去部１１が設けられており、除去部１１の上面には、開口時に除去部１１を引上げるプルリング１２が設けられている。
【００１４】
上壁７の上部外縁には、上蓋Ｃと係合する蓋係合部１３が立設されている。
【００１５】
係合筒８の内周下端には、内周上部が容器Ａの係合突条３の外周下部に係合する係合突条１４が設けられている。
【００１６】
係合筒８の下端外周と外周筒９の内周の間は、外周筒９のヒンジＤの反対側に設けられた連結片１５と、間隔をおいて複数配設された破断可能な弱化片１６とを介して連設されている。
【００１７】
外周筒９は、連結片１５および弱化片１６より下方に延び、打栓時に容器Ａの係合部２より下方に延びて容器Ａの口筒部１をカバーするカバー筒部１７が形成されている。
【００１８】
上蓋Ｃは、頂壁２０と、頂壁２０の周縁に垂設された外筒壁２１とからなり、頂壁２０下面には、キャップ本体Ｂの注出筒５の内周に挿入され、注出筒５を密封する密封リング２２が垂設されている。
【００１９】
外筒壁２１の内周下端は、拡径され、キャップ本体Ｂの上壁７の蓋係合部１３外周と係合する係合部２３が設けられており、外周下端の所定の位置には、ヒンジＤが連設されている。
【００２０】
次に、本発明のヒンジキャップの作用効果について説明する。
ヒンジキャップの閉蓋にあたっては、上蓋Ｃの係合部２３とキャップ本体Ｂの蓋係合部１３とを係合させ、閉蓋する。
【００２１】
閉蓋したヒンジキャップを、加熱された内容液を充填した容器Ａの口筒部１に、上方から打栓する。
その際、キャップ本体Ｂの注出筒５の外周面５ａと係合筒８内周が、容器Ａの口筒部１内周と係合部２係合突条３外周と係合し、容器Ａの口筒部１を挟持し、キャップ本体Ｂを容器Ａに装着するとともに、係合筒８内周の係合突条１４が容器Ａの係合突条３と係合し、キャップ本体Ｂが容器Ａから抜け落ちることを防いでいる。
【００２２】
内容液を使い終わり、容器を廃棄する際には、上蓋Ｃを引張り上げることにより、ヒンジＤを介してキャップ本体Ｂの外周筒９が引張られ、外周筒９と係合筒８との間の弱化片１６を切断していくとともに、連結片１５を支点として、外周筒９のヒンジＤ側が上昇する。
その際、外周筒９下方のカバー筒部１７は、弱化片１６より下方にあるので、弱化片１６が伸びることを少なくし、切断が容易となっている。
【００２３】
さらに上蓋Ｃを引張ると、連結片１５を介して係合筒８の連設部側のみが引張られるので、係合筒８が変形してキャップ本体Ｂと容器Ａの口筒部１との係合が外れ、簡単にヒンジキャップを容器から取り外して、分別廃棄することができる。
【００２４】
本発明のヒンジキャップは、打栓後にキャップ本体Ｂの外周筒９のカバー筒部１７が容器Ａの口筒部１の係合部２を覆い隠すことができるとともに、容器Ａの係合部２より下方の形状に合わせて、カバー筒部１７を伸ばして形成することによって打栓した容器としての美観を損なうことがない。
また、キャップ本体Ｂの係合筒８の高さを、容器Ａの係合突条３と係合する最低限の高さで形成することによって、容器としての美観を損ねることなく、キャップ本体Ｂを打栓することができる。
【００２５】
従来のヒンジキャップでは、不正行為防止のために、容器Ａにネックリングを設け、ヒンジキャップの下端と容器との間に隙間ができないようにしていたが、本発明のヒンジキャップでは、ネックリングを設けなくてもキャップ本体Ｂのカバー筒部１７が容器Ａの外周と係合し、隙間ができることを防止することができる。
【００２６】
また、無理に、キャップ本体Ｂのカバー筒部１７を持ち上げようとすると、係合筒８とともに外周筒９も持ち上がり、外周筒９と係合筒８との間の弱化片１６を切断してしまい、痕跡が残るため、不正行為を防止することができる。
【産業上の利用可能性】
【００２７】
本発明は、容器と分別廃棄するヒンジキャップにおいて、容器に装着される係合筒より下方に延びるカバー筒部を具えた外周筒を連設することによって、容器の形状による美観を損ねることなく、不正行為を防止することができるヒンジキャップとして、広く利用することができる。
【図面の簡単な説明】
【００２８】
【図１】本発明のヒンジキャップの説明図で、（ａ）は断面立面図、（ｂ）は下面図である。
【符号の説明】
【００２９】
Ａ        容器
Ｂ        キャップ本体
Ｃ        上蓋
Ｄ        ヒンジ
１        口筒部
２        係合部
３、１４  係合突条
５        注出筒
５ａ      外周面
６        隔壁
７        上壁
８        係合筒
９        外周筒
１０      弱化部
１１      除去部
１２      プルリング
１３      蓋係合部
１５      連結片
１６      弱化片
１７      カバー筒部
２０      頂壁
２１      外筒壁
２２      密封リング
２３      係合部
【図１】
0005236347.tif 000002